(57)【特許請求の範囲】
【請求項１】
第１の光トランシーバ(31)及び第２の光トランシーバ(32)を含むマルチモード光ファイバ伝送システム(30)であって、前記第１の光トランシーバ(31)は第１のトランスミッタユニット(35)及び第１のレシーバユニット(42)を有し、前記第２の光トランシーバ(32)は第２のトランスミッタユニット(39)及び第２のレシーバユニット(38)を有し、前記光トランシーバ(31,32)間の双方向光通信のために、対になるトランスミッタユニットとレシーバユニット(35,38;39,42)の間に少なくとも１つのマルチモード光ファイバ伝送リンク(33,34)が延び、
前記第２の光トランシーバ(32)は、前記第２のレシーバユニット(38)において受信された光信号のビットエラーレートを判定し、前記第２のトランスミッタユニット(39)から前記第１のレシーバユニット(42)へ前記光信号のビットエラーレートを示す情報を伝達するように構成され、
前記第１の光トランシーバ(31)は、前記情報に応じて、前記第２のレシーバユニット(38)における前記光信号のビットエラーレートを最適化するための制御信号(70)を生成するように構成され、
前記第１のトランスミッタユニット(35)は、データ入力部(43)、データ処理回路(47-62)、及び、光放射源(36)を含み、
前記データ処理回路(47-62)は、
前記データ入力部(43)から受信した入力データ信号を非反転データ信号(45)とし、前記非反転データ信号を反転させ、反転データ信号(48)を生成するインバータ(47)と、
前記制御信号(70)に従って前記非反転データ信号(45)と前記反転データ信号(48)の間の相対遅延を調節する手段(46, 49, 52)と、
前記制御信号(70)に従って前記非反転データ信号(45)と前記反転データ信号(48)の間の相対的振幅を調節する手段(55, 56, 59)と、
前記相対遅延及び前記相対的振幅の調節後に、前記非反転データ信号と前記反転データ信号を結合し、結合されたデータ信号(63)を前記光放射源(36)に供給する結合手段と
を含み、
前記光放射源(36)は、前記結合されたデータ信号(63)に基いて前記第２の光トランシーバ(32)へ伝送される前記光信号を生成するように構成される、マルチモード光ファイバ伝送システム(30)。
【請求項２】
前記相対遅延を調節する手段(46, 49, 52)は、
第１の遅延制御信号(50)に従って第１の調節可能な遅延を前記非反転データ信号(45)に適用するための第１の可変遅延ライン(46)と、
第２の遅延制御信号(51)に従って第２の調節可能な遅延を前記反転データ信号(48)に適用するための第２の可変遅延ライン(49)と、
前記制御信号(70)に従って、前記第１の遅延制御信号（50)、及び前記第２の遅延制御信号(51)を生成する遅延制御回路(52)と
を含み、
前記相対的振幅を調節する手段(55, 56, 59)は、
第１の利得制御信号(57)に従って第１の調節可能な利得係数を前記非反転データ信号(45)に適用するための第１の可変利得ステージ(55)と、
第２の利得制御信号(58)に従って第２の調節可能な利得係数を前記反転データ信号(48)に適用するための第２の可変利得ステージ(56)と、
前記制御信号(70)に従って、前記第１の利得制御信号(57)、及び前記第２の利得制御信号(58)を生成する利得制御回路(59)と
を含む、請求項１に記載のマルチモード光ファイバ伝送システム(30)。
【請求項３】
前記第１のトランスミッタユニット(35)は、前記結合されたデータ信号(63)に基いて前記光放射源(36)を駆動する駆動回路をさらに含む、請求項１または請求項２に記載のマルチモード光ファイバ伝送システム(30)。
【請求項４】
前記相対遅延、又は前記相対的振幅、あるいは前記相対遅延と前記相対的振幅の両方を調節するユーザ調節可能な設定手段(72)をさらに含み、前記設定手段(72)は、前記第１のトランスミッタユニット(35)に接続されるマルチモード光ファイバ(33)の長さに関して較正される、請求項２または請求項３に記載のマルチモード光ファイバ伝送システム(30)。
【請求項５】
第１の光トランシーバ(31)及び第２の光トランシーバ(32)を含む光通信システム(30)においてマルチモード光ファイバ(33, 34)を介してデータを伝送する方法であって、
前記第１の光トランシーバ(31)において受信した入力データ信号を非反転データ信号(45)とし、該非反転データ信号(45)を反転させ、反転データ信号(48)を生成するステップ(81)と、
制御信号(70)に従って前記非反転データ信号(45)と前記反転データ信号(48)の間の相対遅延を調節するステップ(82)と、
前記制御信号(70)に従って前記非反転データ信号(45)と前記反転データ信号(48)の間の相対的振幅を調節するステップ(83)と、
前記相対遅延及び前記相対的振幅の調節後に、前記非反転データ信号と前記反転データ信号を結合し、結合されたデータ信号(63)を生成するステップ(85)と、
前記結合されたデータ信号(63)に基いて光放射源(36)から光信号を生成するステップ(86)と、
前記光信号をマルチモード光ファイバ(33)を介して前記第２の光トランシーバ(32)へ伝送するステップ(87)と
前記マルチモード光ファイバ(33)を介して伝送された前記光信号を前記第２の光トランシーバ(32)において受信するステップと、
受信した前記光信号のビットエラーレートを判定するステップと、
判定された前記光信号のビットエラーレートを示す情報を前記第２の光トランシーバ(32)から前記第１の光トランシーバ(31)へ伝送するステップと、
前記第１の光トランシーバ(31)において、前記情報に応じて、前記第２の光トランシーバ(32)における前記光信号のビットエラーレートを最適化するための前記制御信号(70)を生成するステップと
を含む、方法。
【請求項６】
第１の可変遅延ライン(46)を使用して、前記非反転データ信号(45)を遅延させるステップと、
第２の可変遅延ライン(49)を使用して、前記反転データ信号(48)を遅延させるステップと、
前記制御信号(70)を使用して、前記第１の可変遅延ライン(46)と前記第２の可変遅延ライン(49)の間の相対遅延を制御するステップと
を含む、請求項５に記載の方法。
【請求項７】
第１の可変利得ステージ(55)を使用して、前記非反転データ信号(45)を減衰又は増幅するステップと、
第２の可変利得ステージ(56)を使用して、前記反転データ信号(48)を減衰又は増幅するステップと、
前記制御信号(70)を使用して、前記第１の可変利得ステージ(55)と前記第２の可変利得ステージ(56)の間の相対的振幅を調節するステップと
を含む、請求項５または請求項６に記載の方法。
【請求項８】
前記光通信システム(30)は、前記相対遅延、又は前記相対的振幅、あるいは前記相対遅延と前記相対的振幅の両方を調節する設定手段(72)をさらに含み、前記設定手段(72)は、前記第１の光トランシーバ(31)のトランスミッタユニット(35)に接続されるマルチモード光ファイバ(33)の長さに関して較正される、請求項５〜７のいずれか一項に記載の方法。
【発明の詳細な説明】
【技術分野】
【０００１】
本発明はマルチモード光ファイバ通信システムに関し、特に、マルチモード光通信チャネルを通る信号伝搬における非線形性によって、レシーバに提供される信号が劣化する光通信システムに関する。
【背景技術】
【０００２】
光信号は、信号の生成時にも、光通信チャネルを介した伝送時にも、種々の雑音源や歪みの影響を受けやすい。光トランスミッタや光レシーバにおける雑音源には、熱雑音やショット雑音がある。レシーバの受信部には、高感度にするためにアバランシェダイオードが使用される場合があり、それによって、アバランシェフォトダイオード雑音が生じることがある。光信号の生成は一般に、雑音源やドリフトの影響を受けやすい。例えば、レーザーダイオードの出力パワーは、使用時の温度上昇に従って、あるいは、周囲の温度変化によって、緩やかに変動することがある。システム歪みの原因は、光通信リンクにおける新しいマルチモード光ファイバや既存のマルチモード光ファイバの使用による非線形変動である場合がある。マルチモード光ファイバでは、種々のモードが異なる伝搬速度を有し、その伝搬速度の違いにより、１つのパルスが複数の隣接パルスに分散され、符号間干渉（ＩＳＩ）を引き起こすことがある。シングルモード光ファイバでも、パルス歪みは発生するが、その規模はあまり大きくない。このように、それらの影響はアイパターンに非常に近いものとなり、レシーバにおける測定ビットエラーレート（ＢＥＲ）を増加させることがある。
【０００３】
温度変化による変化は、例えば、レーザー光源の温度安定化や、レシーバにおける自動利得制御によって簡単に補正することが可能であるが、マルチモード光ファイバにおけるパルス拡散に起因する変化を補正することは難しい。
【０００４】
そのため、高速通信リンク、例えば、少なくとも５ギガビット／秒のデータレートで動作するリンクは、シングルモード光ファイバと共に、高精度光ファイバコネクタを使用する傾向にある。このことは、リンクの長さが通常１０ｍ〜１００ｍ程度であるローカルエリアネットワークのようにリンクが非短い距離を介して動作している場合であっても、リンクの長さが１ｋｍ〜１０ｋｍである地下鉄ネットワークにおいても当てはまる。こうした高速通信リンクによれば、例えば１０−１２といった非常に低いＢＥＲにおいて信頼できるパフォーマンスが得られるが、コストを大幅に削減した場合でもそれに匹敵するパフォーマンスが必要とされており、実際には、マルチモード光ファイバと安価なコネクタを使用しなければならない。
【０００５】
そのため近年では、ＦＤＤＩグレードのマルチモード光ファイバを介して最大１０ギガビット／秒で動作する通信リンクに、マルチモード光ファイバが使用されている。８５０ｎｍの光源を使用した場合、こうしたリンクの長さは、約３０ｍまでに制限される。１３１０ｎｍの光源を使用した場合、こうしたリンクの長さは約８０ｍまでに制限される。しかしながら、設置されるマルチモード光ファイバ通信リンクの最大９０％では、少なくとも３００ｍを超えるデータ伝送が必要とされる。
【０００６】
また、レシーバにイコライザ回路（等化器）を使用して、符号間干渉を補正することも提案されている。こうしたイコライザ回路は、フォトディテクタ回路の出力を入力として受信し、その入力から少なくとも２つのイコライザ係数を生成する。更に、信号遅延ラインが、フォトディテクタ回路の出力を受信する。遅延ラインから引き出された出力がそれぞれ、乗算等によってイコライザ係数と結合された後、互いに加算され、均一化された出力信号が生成される。この方法は、特定タイプの信号歪みの補正には有効であるが、その結果レシーバ回路のコストが増加するため、マルチモード光ファイバにおけるパルス拡散に起因した歪み問題の根本的原因の解決にはならない。
【発明の開示】
【課題を解決するための手段】
【０００７】
本発明によれば、マルチモード光ファイバ伝送リンクに接続するための光トランスミッタユニットが得られる。この光トランスミッタユニットは、入力データ信号を受信するためのデータ入力と、データ信号処理回路と、光放射源とを含み、前記データ信号処理回路は、前記データ入力から入力データ信号を受信し、処理されたデータ信号を前記光放射源に供給するように構成され、前記光放射源は、該光放射源から、マルチモード光ファイバによって伝送するための光信号を生成するように構成され、前記データ信号処理回路は、
前記入力信号から非反転データ信号及び反転データ信号を生成し、
前記処理されたデータ信号の生成を制御するための制御信号を受信し、
前記制御信号に従って調節可能な遅延を前記非反転データ信号と前記反転データ信号のうちの少なくとも一方に適用し、
前記制御信号に従って調節可能な利得係数を前記非反転データ信号と前記反転信号のうちの少なくとも一方に適用し、
前記調節可能な遅延（複数の場合もあり）及び前記利得係数（複数の場合もあり）を適用した後、前記非反転データ信号と前記反転データ信号を結合し、前記処理されたデータ信号を生成するように構成される。
【０００８】
また、本発明によれば、第１の光トランシーバー及び第２の光トランシーバからなるマルチモード光ファイバ伝送システムが得られる。前記第１の光トランシーバは第１のトランスミッタユニット及び第１のレシーバユニットを有し、前記第２の光トランシーバは、第２のトランスミッタユニット及び第２のレシーバユニットを有し、前記光トランシーバ間における双方向光通信のために、対になるトランスミッタユニットとレシーバユニットの間に少なくとも１つのマルチモード光ファイバ伝送リンクが延び、前記第２の光トランシーバは、前記第２のレシーバユニットにおける受信光信号の質を検出し、第２のトランスミッタから第１のレシーバユニットへ前記受信光信号の質を示す情報を伝達するように構成され、前記第１の光トランシーバは、前記情報に応じて、前記第２のレシーバユニットにおける受信光信号の品質を最適化するための制御信号を生成するように構成される。
【０００９】
更に、本発明は、光通信システムにおいてマルチモード光ファイバを介してデータを伝送する方法を提供する。この方法は、
入力データ信号を受信するステップと、
前記入力データ信号から非反転データ信号及び反転データ信号を生成するステップと、
前記非反転データ信号と前記反転データ信号のうちの少なくとも一方に、調節可能な遅延を適用するステップと、
前記非反転データ信号と前記反転データ信号のうちの少なくとも一方に、調節可能な利得係数を適用するステップと、
前記遅延（複数の場合もあり）及び前記利得係数（複数の場合もあり）の制御を許可する制御信号を受信するステップと、
前記調節可能な遅延（複数の場合もあり）及び前記利得係数（複数の場合もあり）の適用後、前記非反転データ信号と前記反転信号を結合し、処理されたデータ信号を生成するステップと、
前記処理されたデータ信号を使用して、光信号を生成するステップと、
前記光信号をマルチモード光ファイバを介して伝送するステップと
からなる。
【００１０】
「利得」という用語は、正の利得と負の利得（すなわち、減衰）の両方に使用される。本発明の一実施形態において、データ処理回路は、
前記制御信号に従って第１の調節可能な遅延を適用するための第１の可変遅延ライン及び関連制御入力と、
前記制御信号に従って第２の調節可能な遅延を適用するための第２の可変遅延ライン及び関連制御入力と、
前記制御信号に従って第１の調節可能な利得を適用するための第１の可変利得ステージ及び関連制御入力と、
前記制御信号に従って第２の調節可能な利得を適用するための第２の可変利得ステージ及び関連制御入力と
を含む。
【００１１】
なお、本発明の種々の態様は、デジタル電子回路とアナログ電子回路のどちらを使用して実施してもよく、また、両者を混成で使用してもよい。例えば、遅延ラインは、アナログ遅延ラインであってもデジタル遅延ラインであってもよく、後者の場合、ソフトウェアで実施してもハードウェアで実施してもよく、例えば、デジタル信号プロセッサ（ＤＳＰ）チップ内で実施してもよい。同様に、可変利得は、アナログ増幅器を使用して実施しても、デジタル増幅器を使用して実施してもよく、例えば、ＤＳＰチップ内でソフトウェア又はハードウェアとして実施される。
【００１２】
調節可能な遅延、及び／又は、調節可能な利得係数を変化させるためのユーザ調節可能な設定手段があることが望ましい。この設定手段は、トランスミッタに接続されるマルチモード光ファイバの長さに関して較正できるものが便利である。
【発明を実施するための好ましい実施形態】
【００１３】
図１は、マルチモード光ファイバを介した伝送中に光パルス１がどのように劣化することがあるかの一例を示している。横軸は、時間、又は、光ファイバの長手方向における距離を表わし、縦軸は、伝送された光放射の強度を表している。ただし、光ファイバの種類や長さといった多数の要因から、マルチモード光ファイバリンクでは、特定の形のパルス歪みにおいて大きな変化が現れる。
【００１４】
最初は、パルス１は、鋭い立ち上がりエッジ２と同様の鋭い立ち下がりエッジ３を有する幅の狭いパルスである。光ファイバの長手方向に沿ってパルスが伝送されるのにつれて、種々のモードが異なる速度で伝搬する。その結果、受信パルスは、主として立ち下りエッジ４において拡散される。受信パルスの強度も幾らか低下する。ただし、図１は、パルスの形の変化を見やすくするために、ピーク送信強度とピーク受信強度が同じになるように描かれている。
【００１５】
図２は、パルス１０に強度の窪み１１と、その後に続く最初のピーク１２を含めることによってパルス１０を最初に事前補正し、伝送時のパルス拡散によって窪み１１が埋められ、図３に示すような比較的最適に近い受信パルス２０を得ることが可能な方法を示している。この形の事前補正を光伝送システムで行うためには、強度の窪み１１を形成するための基準線１５が、非ゼロでなければならない。従って、この形の事前補正には、図１に示したような事前補正を持たないマルチモード光ファイバに存在する通常の基準線５よりも高い基準線１５が必要とされる。光通信システムでは一般に、レーザーダイオードにバイアス電圧をかけ、線形強度と電流特性の関係を示す曲線において光出力が基準の位置にくるようにする。事前補正の形によっては、レーザーダイオードをこのライナー勾配の基準よりも高い位置までバイアスし、窪み１１を立ち下がりエッジのパルス拡散を補正できる程度の十分な深さにするために、反転が必要になる場合がある。
【００１６】
図４は、本発明の好ましい実施形態によるマルチモード光ファイバ伝送システム３０を示す概略図である。システム３０は、一対のマルチモード光ファイバ伝送リンク３３、３４によって接続された一対の光トランシーバユニット３１、３２を有する。第１のトランシーバユニット３１は、第１のマルチモード光ファイバリンク３３に沿ってフォトディテクタ３７に光信号を伝送する光放射源３６を備えた光トランスミッタ３５を有する。フォトディテクタ３７は、第２の光トランシーバユニット３２における光レシーバ３８の一部である。
【００１７】
第２の光トランシーバユニット３２は、第２のマルチモード光ファイバリンク３４に沿って第１のトランシーバユニット３１の光レシーバ４２のフォトディテクタ４１に光信号を伝送する光放射源４０を備えた光トランスミッタ３９を有する。
【００１８】
通常、光放射源３６、４０はそれぞれ、レーザーダイオード及び関連電子駆動回路から構成される。フォトディテクタ３７、４１は通常、関連受信回路を備えたフォトダイオードからなる。光プラグ、受容部、及び、光ファイバ３３、３４自体の構造は図示されていない。なぜなら、それらは、従来の光コネクタ及びマルチモード光ファイバケーブルから提供される可能性があるからである。
【００１９】
第１の光トランシーバユニット３１は、外部データソース４４に接続された信号入力４３を有する。信号入力４３は、従来の入力回路（図示せず）によって処理され、調整される。非反転データ信号４５は、第１の遅延ライン４６に供給される。データ反転器（インバータ）４７は、非反転データ信号４５を受信し、反転データ信号４８を第２の遅延ライン４９に供給する。２本の遅延ライン４６、４９間の相対遅延は、遅延制御回路５２から供給される対応する遅延制御信号５０、５１によって調節することができる。この構成によれば、非反転データ信号４５と反転データ信号４８の間の相対遅延を、遅延制御回路５２によって設定することができる。調節しなければならないのは相対遅延であるから、遅延ライン４６、４９は１本しか必要ない。つまり、図４は、比較的一般的な回路構成を示している。
【００２０】
遅延ライン４６、４９はそれぞれ、非反転データ信号５３及び反転データ信号５４を遅延させ、それらを振幅制御ステージ５５、５６に渡す働きをする。その結果、遅延された非反転データ信号５３と反転データ信号５４の相対的振幅を、利得制御回路５９から提供される制御信号５７、５８によって設定することができる。
【００２１】
遅延制御回路５２と利得制御回路５９は合わせて、事前補正コントローラ６０を構成する。後で詳しく説明するように、事前補正の形を最適化するために、事前補正コントローラ６０は、自動的に、又は、手動で制御することができる。
【００２２】
次に、振幅制御ステージ５５からの出力６１と振幅制御ステージ５６からの出力６２を結合し、処理されたデータ信号６３を生成する。この結合は例えば、それらの信号を互いに加算することによって行われ、あるいは、それらの信号を入力として個別の増幅器に供給した後、それらを結合することによって行われる。なお、この構成において、インバータ４７の位置や、遅延・振幅制御回路を設ける実際の順序は、図示したものとは違っていてもよい。例えば、インバータ４７は、最終遅延、又は、振幅制御ステージ４９、５６の後ろに設けてもよい。あるいは、この反転は、増幅器への負の入力によって行ってもよい。
【００２３】
図４から分かるように、事前補正のこの形は、実施が単純であり、アナログ電子回路でも、デジタル電子回路でも簡単に実施することが可能である。また、事前補正のこの形は、反転データ信号と非反転データ信号の相対的遅延及び振幅を調節して、マルチモード光ファイバを介した伝送後の劣化した光信号の立ち下がりエッジを補正することが可能であるため、有効な形でもある。
【００２４】
伝送信号３３は、第２のトランシーバユニット３２の光レシーバ３８によって受信される。フォトレシーバ３７内のレシーバ回路から、信号出力６４が出力される場合がある。本発明の一態様において、このレシーバ回路は更に、受信信号６５を信号分析回路６６に提供する場合がある。信号分析回路６６は、受信信号の質を分析するように構成される。分析は例えば、ビットエラーレートや論理的信号伝送間の時間間隔について行われる。第２のマルチモード光ファイバ３４を介して第１のトランシーバユニット３１のフォトレシーバ４１に制御信号を送信するために、信号分析回路６６は、光トランスミッタ４０に入力６７を供給する。フォトレシーバ４１は、信号出力６８をデータ出力６９として出力するとともに、制御入力７０として事前補正コントローラ６０にも出力する。この方法では、処理されたデータ信号６３の閉ループ制御を行うために、信号分析回路６６は、事前補正コントローラ６０と通信することができる。第２のマルチモードリンク３４における事前補正が全くない場合や、不十分であることに起因する問題を回避するために、信号分析回路６６から出力される制御信号６７は、事前補正コントローラ６０がデコード可能なパルス拡散の影響を受けない比較的低い周波数の形で出力される場合がある。
【００２５】
更に、又は、代替として、トランシーバユニット３１は、スイッチやダイアル７２のような手動制御手段に接続された手動制御入力７１を有する場合があり、手動制御手段によってユーザは、事前補正の所望のレベルを設定することができる。例えば、手動事前補正制御手段７２は、２つのトランシーバユニット３１、３２間の光ファイバ３３の長さに関して、較正される場合がある。
【００２６】
図５は、光通信システム３０におけるデータを伝送する方法の主なステップを示すフロー図８０である。入力データを、それを反転させたものと共に供給８１する。次に、非反転データ信号と反転データ信号のうちの少なくとも一方に、調節可能な遅延を適用する。これを行う１つの方法は、第１の可変遅延ラインを使用して非反転データ信号を遅延させ、第２の可変遅延ラインを使用して反転データ信号を遅延させ、同時に、制御信号を使用して、第１の遅延ラインと第２の遅延ラインの間の相対遅延を制御することである。
【００２７】
次に、非反転データ信号と反転データ信号のうちの少なくとも一方に、調節可能な利得係数を適用する。これを行う１つの方法は、第１の利得ステージを使用して非反転データ信号を減衰又は増幅し、第２の利得ステージを使用して反転データ信号を減衰又は増幅し、同時に、制御信号を使用して、第１の利得ステージと第２の利得ステージの間の相対利得を制御することである。
【００２８】
次に、相対遅延及び利得係数の制御を許可する制御信号を受信８４する。この行う１つの方法は、調節可能な遅延、及び／又は、調節可能な利得係数を調節するために、トランスミッタに接続されるマルチモード光ファイバの長さに関して較正された設定手段を手動で調節することである。別の方法は、マルチモード光ファイバを介して伝送された光信号を第２の光トランシーバユニットで受信し、受信した光信号の質を検出することである。その後、受信した光信号の検出された質に応じて、第２の光トランシーバユニットにおける受信信号の質を最適化するための制御信号を自動生成する場合がある。
【００２９】
次に、調節可能な相対遅延及び利得係数を適用した後、非反転データ信号と反転データ信号を結合８５し、処理されたデータ信号を生成する。次に、その処理されたデータ信号を使用８６して、マルチモード光ファイバリンクを介して伝送８７するための光信号を生成する。
【００３０】
このように、本発明によれば、光ファイバにおける種々の光モードの信号伝達特性が異なることに起因した伝送信号生成の影響を受けることがあるマルチモード光ファイバ通信システムにおいて、光信号を伝達するための便利なシステム及び方法が得られる。
【００３１】
添付の特許請求の範囲によって規定されるような本発明の範囲から外れることなく、上記の構成要素の構成や配置に、種々の変更、修正、及び／又は、追加を行うことが可能であるものと考えられる。
【図面の簡単な説明】
【００３２】
【図１】マルチモード光ファイバにおけるパルス拡散により受信パルスがどのように劣化するかを示す概略図である。
【図２】伝送パルスの形を変化させ、受信パルスの劣化を低減させるために使用可能な事前補正方法を示す概略図である。
【図３】伝送パルスの形を変化させ、受信パルスの劣化を低減させるために使用可能な事前補正方法を示す概略図である。
【図４】本発明の好ましい実施形態によるマルチモード光ファイバ伝送システムを示す概略図である。このシステムは、一対のマルチモード光ファイバによって接続された一対の光トランシーバユニットを有し、第１のトランシーバは図２の事前補正を行うように構成され、他方のトランシーバは、受信信号を分析し、第１の光トランシーバと通信し、事前補正を調節及び最適化するように構成される。
【図５】光通信システムにおいて、本発明の好ましい実施形態による光トランシーバユニットを使用して、マルチモード光ファイバを介してデータを伝送する方法を示すフロー図である。
【図１】
0004740053.tif 000002
【図２】
0004740053.tif 000003
【図３】
0004740053.tif 000004
【図４】
0004740053.tif 000005
【図５】
0004740053.tif 000006